(57)【要約】【課題】従来より誤警告を防止することができる障害物検出装置を提供する。【解決手段】車両前方の障害物（走行の障害となり得る物体）を検出し（Ｓ１２０）、その障害物までの相対距離及び相対方向を特定する（Ｓ１４０）。そして、その特定した情報と、ナビゲーション装置から取得した現在位置情報と車道形状情報とに基づいて、障害物が車道上に存在するか否かを判定する（Ｓ１７０）。この結果、障害物が車道上に存在していると判定した場合のみ警告情報を出力する（Ｓ１８０）。このような障害物検出装置であれば、車道上にない障害物について警告がなされることはない。【選択図】図２
2007128232.tif 000002
【特許請求の範囲】
【請求項１】
自車両の走行方向に存在する物体を検出する検出手段と、
前記検出手段により検出された前記物体の、自車両に対する相対位置を算出する位置算出手段と、
車道の形状に関する情報を車道形状情報として取得する車道形状情報取得手段と、
前記位置算出手段により算出された前記物体の位置と、前記車道形状情報取得手段により取得された前記車道形状情報とに基づき、前記物体が、前記車道形状情報により特定される車道上に存在するか否かを判定し、前記物体が前記車道上に存在すると判定した場合に警告情報を出力する判定手段と、
を備えることを特徴とする障害物検出装置。
【請求項２】
請求項１に記載の障害物検出装置において、
前記位置算出手段は、前記検出手段により検出された前記物体の移動方向及び移動速度を算出し、その算出した移動方向及び移動速度に基づいて予測される相対位置を、前記物体の位置として算出すること、
を特徴とする障害物検出装置。
【請求項３】
請求項１又は請求項２に記載の障害物検出装置において、
さらに、案内経路に関する情報である案内経路情報を取得する案内経路情報取得手段を備え、
前記判定手段は、前記判定の際、前記案内経路情報取得手段により取得された前記案内経路情報に基づいて特定される案内経路上の車道に限定して、前記物体が車道上に存在するか否かを判定すること、
を特徴とする障害物検出装置。
【請求項４】
請求項１〜請求項３の何れかに記載の障害物検出装置において、
前記検出手段は、物体の表面温度分布を計測することができる赤外線カメラであり、自車両の走行方向に存在する物体のうち、表面温度が生物の体温帯にある物体を検出すること、
を特徴とする障害物検出装置。
【請求項５】
請求項４に記載の障害物検出装置において、
前記判定手段は、前記検出手段により検出された前記物体のうち、車両と推測される構造物内に位置する前記物体については前記判定の対象にしないこと、
を特徴とする障害物検出装置。
【発明の詳細な説明】
【技術分野】
【０００１】
本発明は、車両の通行の障害になる障害物を検出する障害物検出装置に関する。
【背景技術】
【０００２】
近年、ミリ波レーダーや赤外線カメラ（暗視カメラ）等を用いて通行の障害になる障害物を運転者に警告する障害物検出装置が車両に搭載されつつある。このような障害物検出装置は、ミリ波レーダーや赤外線カメラ等によって検知された検知物について、警告対象とすべきか否を正確に判断する必要がある。なぜなら、警告を発するに足りない物に対して警告が頻繁に発せられると、運転者は無意味な警告に慣れてしまい、その結果、本当に必要な警告を運転者が無視してしまうおそれがあるからである。したがって、通行の障害にならない物体について、できる限り警告を行わないようにすることが重要である。
【０００３】
例えば、下記の特許文献１に記載の衝突防止装置は、運転者のハンドル操作から自車両の進行路を予測し、障害物や先行車を適切に検出して不必要な警報を発することを防止するものである。具体的には、まず、ＣＣＤカメラの映像に基づいて物体を検知すると共にその物体までの距離を求める。次に、舵角センサから得られる舵角と車速センサから得られる車速とから、現在の舵角と車速が保持されると仮定した場合の自車の走行経路を推定し、自車の横幅等を加えて走行領域を決定する。そして、検知した物体が走行領域に入っている場合にのみ警告を行う。
【特許文献１】特開平１０−６９５９８号公報
【発明の開示】
【発明が解決しようとする課題】
【０００４】
しかしながら、上述したように、特許文献１に記載の衝突防止装置は、運転者のハンドル操作（舵角）から推定した走行領域を用いて警告を行うか否かの判断を行っているため、判断直後に急なハンドル操作によって走行路が変化するような場合には、結果として、通行の障害にならない物体について警告を行ってしまうことが考えられる。
【０００５】
本発明はこのような問題にかんがみなされたものであり、より誤警告を防止することができる障害物検出装置を提供することを目的とする。
【課題を解決するための手段】
【０００６】
上記課題を解決する障害物検出装置は、位置算出手段と、車道形状情報取得手段と、判定手段とを備える。報知手段は運転者に情報を報知し、検出手段は自車両の走行方向に存在する物体を検出し、位置算出手段は検出手段により検出された物体の、自車両に対する相対位置を算出し、車道形状情報取得手段は車道の形状に関する情報を車道形状情報として取得する。また、判定手段は、位置算出手段により算出された物体の位置と、車道形状情報取得手段により取得された車道形状情報とに基づき、物体が、車道形状情報により特定される車道上に存在するか否かを判定し、物体が車道上に存在すると判定した場合に警告情報を出力する。なお、ここで言う「警告情報」というのは、「物体が車道上に存在する」という情報や、その物体の位置に関する情報である。また、出力先については、表示装置やスピーカが想定される。
【０００７】
このような障害物検出装置であれば、車道上に存在すると判定した検知物体についてのみ、運転者に警告がなされる。したがって、例えば、舗道上にいる歩行者や、舗道上にある自転車等に対して警告はなされない。また、急なハンドル操作によって走行路が変化する場合でも、あくまで検出された物体が車道上に存在するか否かによって警告情報の出力有無を決定するようになっているため、通行の障害にならない物体（車道外に存在する物体）について警告がなされることはない。したがって、上述したような障害物検出装置によれば、従来よりも誤警告を効果的に防止することができる。
【０００８】
ところで、位置算出手段が算出する物体の位置は、現在位置であってもよいが、位置算出手段は、検出手段により検出された物体の移動方向及び移動速度を算出し、その算出した移動方向及び移動速度に基づいて予測される相対位置を、前記物体の位置として算出するようになっていてもよい。
【０００９】
このようになっていれば、例えば、現時点では車道上に位置しない歩行者や自転車等が、車道を横断するために車道に近づきつつある場合、警告がなされる。したがって、より事故防止に役立つ。
【００１０】
また、例えば、障害物検出装置が搭載された車両が十字路に近づいており、ナビゲーション装置においてその十字路で右折する案内経路が設定されている場合、十字路を直進した先に存在する物体について警告することは無意味である場合が多い。したがって、案内経路に関する情報である案内経路情報を取得する案内経路情報取得手段を備えるように障害物検出装置を構成し、判定手段は、上述した判定の際、案内経路情報取得手段により取得された案内経路情報に基づいて特定される案内経路上の車道に限定して、物体が車道上に存在するか否かを判定するようになっているとよい。つまり、検出手段によって検出された物体が、案内経路上（現在、案内されている車道上）に存在するか否かを判定するようになっているとよい。このようになっていれば、無意味な警告をさらに防止することができる。
【００１１】
また、検出手段は、物体の表面温度分布を計測することができる赤外線カメラであり、自車両の走行方向に存在する物体のうち、表面温度が生物の体温帯にある物体を検出するようになっていてもよい。
【００１２】
このようになっていれば、人や小動物等を効果的に検出することができ、人や小動物等との接触を高い確率で防ぐことができる。
なお、判定手段は、検出手段により検出された物体のうち、車両と推測される構造物内に位置する物体については判定の対象にしないようになっているとよい。前方の車両の中にいる人を検出手段が検知したとしても、当該障害物検出装置の搭載された車両の運転者は、前方の車両の存在に気づく可能性が高い。したがって、その車両内にいる人の存在をあえて報知する必要性は低く、このような場合に報知を行わないようになっていれば、本当に必要な警告を運転者が確実に警告として認識しやすくなる。
【発明を実施するための最良の形態】
【００１３】
以下、本発明が適用された実施形態について図面を用いて説明する。尚、本発明の実施の形態は、下記の実施形態に何ら限定されることはなく、本発明の技術的範囲に属する限り種々の形態を採りうる。
【００１４】
［構成の説明］
図１は、障害物検出装置１１及びそれに接続される装置等の概略構成を示すブロック図である。なお、障害物検出装置１１は車両に搭載されている。
【００１５】
障害物検出装置１１は、右カメラ１２と、左カメラ１３と、制御部１４とを備える。
右カメラ１２，左カメラ１３は、車両の前方を撮影するカメラであり、ルームミラー裏側に並んで（右カメラ１２は前方を向いた場合の右側、左カメラ１２は前方を向いた場合の左側に）設置されている。なお、右カメラ１２，左カメラ１３は、赤外線領域の光を捉えることによって夜間でも有意に被写体を捉えることができる機能を有したカメラ（暗視機能を有したカメラ）である。
【００１６】
制御部１４は、ＣＰＵ、ＲＯＭ、ＲＡＭ、ＳＲＡＭ及びＩ／Ｏから構成され、ＲＯＭ及びＳＲＡＭに記憶されたプログラムに基づいて後述する障害物検出処理を実行するようになっている。なお、制御部１４は、右カメラ１２、左カメラ１３、スピーカ１５、ディスプレイ１６、ナビゲーション装置２１、車速センサ２２及び舵角センサ２３と接続されている。
【００１７】
スピーカ１５は、制御部１４からの指令に基づき、各種の警告音や警告音声を出力する。
ディスプレイ１６は、液晶ディスプレイや有機ＥＬディスプレイ等から構成され、右カメラ１２または左カメラ１３の映像、あるいは、それを合成した映像を、制御部１４からの指令に基づいて表示させるための表示器である。
【００１８】
ナビゲーション装置２１は、広く知られたナビゲーション装置であり、車両の現在位置付近の地図を表示させると共に、目的地までの経路案内を実行することができるものである。なお、このナビゲーション装置２１には、地図データとして車道形状情報（車道の位置及び形状を示す情報であり、例えば、車道の形状を表す形状点の絶対座標）が記憶されている。
【００１９】
車速センサ２２は、車軸やトランスミッション等に設置されたセンサであり、車速を検出することができるものである。
舵角センサ２３は、操舵機構に設置されたセンサであり、前輪の舵角を検出することができるものである。
【００２０】
［動作の説明］
次に、制御部１４が実行する障害物検出処理について図２のフローチャートを用いて説明する。この障害物検出処理は、障害物検出装置１１への電力供給が開始された際に実行が開始される。
【００２１】
制御部１４は、障害物検出処理の実行を開始すると、センシングを開始する（Ｓ１１０）。ここで言うセンシングというのは、右カメラ１２及び左カメラ１３を機能させることであり、センシングを開始することによって車両前方の撮影が開始される。なお、右カメラ１２及び左カメラ１３が撮影する範囲は、１車線の直線道路である場合、車両前方０〜５００ｍの道路上及び道路周辺（車道から５ｍ〜１０ｍ程度の場所）に存在する物体を映像として写し込むことができる程度である。また、舵角センサ２３から得られる舵角情報に応じて、右カメラ１２及び左カメラ１３の撮影方向が変化するようになっている。つまり、ハンドルが右に切れている場合には、車両前方の右方向を主に撮影し、ハンドルが左に切れている場合には、車両前方の左方向を主に撮影するように右カメラ１２及び左カメラ１３の撮影方向が変化するようになっている。したがって、右カメラ１２及び左カメラ１３が撮影する範囲も、舵角に合わせて変化する。
【００２２】
続いて、制御部１４は、車両前方の障害物を検出する（Ｓ１２０）。具体的には、右カメラ１２及び左カメラ１３から得られる映像から、周知の画像処理方法により、車両前方に存在する障害物（走行の障害となり得る物体）を検出する。
【００２３】
続いて、制御部１４は、車両前方の障害物を検出できたか否かを判定する（Ｓ１３０）。車両前方の障害物を検出できたと判定した場合には（Ｓ１３０：Ｙｅｓ）、Ｓ１４０へ処理を移行し、車両前方の障害物を検出できなかったと判定した場合には（Ｓ１３０：Ｎｏ）、上述したＳ１２０へ処理を戻す。
【００２４】
車両前方の障害物を検出できたと判定した場合に進むＳ１４０では、その障害物との相対距離及び相対方向を特定する。この特定は、例えば、三角法を用い、右カメラ１２からの映像と左カメラ１３からの映像とを比較して障害物までの距離を算出する。
【００２５】
続いて、制御部１４は、車両前方の障害物までの相対距離及び相対方向を特定できたか否かを判定する（Ｓ１５０）。車両前方の障害物まで相対距離及び相対方向を特定できたと判定した場合は（Ｓ１５０：Ｙｅｓ）、Ｓ１６０へ処理を移行し、車両前方の障害物まで相対距離又は相対方向を特定できなかったと判定した場合は（Ｓ１５０：Ｎｏ）、上述したＳ１２０へ処理を戻す。
【００２６】
車両前方の障害物まで相対距離及び相対方向を特定できたと判定した場合に進むＳ１６０では、ナビゲーション装置２１から現在位置に関する情報及び付近の車道形状情報を取得する。なお、この「車道形状情報」というのは、上述したように、車道の位置及び形状を示す情報であり、例えば、車道の形状を表す形状点の絶対座標のことである。
【００２７】
続いて、制御部１４は、Ｓ１６０で取得した情報（現在位置に関する情報及び付近の車道形状情報）と、Ｓ１４０で特定した情報（車両前方の障害物までの相対距離及び相対方向）とに基づいて、車両前方の障害物が車道上に存在するか否かを判定する（Ｓ１７０）。ここで、この判定の方法について図３の説明図を用いて具体的に説明する。
【００２８】
図３は、カーブに差し掛かった車両とそのカーブの外側にいる人とが描かれた説明図である。今、車両の絶対位置をＡ（ｘ１，ｙ１）とし、人の絶対位置をＰ（ｘ２，ｙ２）とし、車両の位置を原点とする座標系での人の位置ベクトルをＡＰ（ｓ，ｒ）とする。上述したＳ１４０ではＡＰ（ｓ，ｒ）が特定され、上述したＳ１６０ではＡ（ｘ１，ｙ１）が得られる。したがって、人の絶対位置Ｐ（ｘ２，ｙ２）は、Ａ＋ＡＰを計算することによって算出される。
【００２９】
説明を図２のフローチャートに戻し、Ｓ１７０において、車両前方の障害物は車道上に存在すると判定した場合には（Ｓ１７０：Ｙｅｓ）、Ｓ１８０へ処理を移行し、車両前方の障害物は車道上に存在しないと判定した場合には（Ｓ１７０：Ｎｏ）、上述したＳ１２０へ処理を戻す。
【００３０】
車両前方の障害物は車道上に存在すると判定した場合に進むＳ１８０では、車両前方に障害物がある旨を運転者に警告する。具体的には、「危険です。前方の車道上に障害物が存在します。回避してください。」という音声をスピーカ１５に出力させると共に、右カメラ１２または左カメラ１３の映像、あるいは、それを合成した映像を、ディスプレイ１６に表示させる。このようにして警告を終えると上述したＳ１２０へ処理を戻す。
【００３１】
［実施形態の効果］
上述した障害物検出装置１１によれば、車両前方に存在する障害物のうち、車道上に存在すると判定した障害物についてのみ、運転者に警告がなされる。したがって、例えば、舗道上にいる歩行者や、舗道上にある自転車等に対して警告はなされない。また、急なハンドル操作によって走行路が変化する場合でも、あくまで検出された障害物が車道上に存在するか否かによって警告情報の出力有無を決定するようになっているため、通行の障害にならない障害物（車道外に存在する障害物）について警告がなされることはない。したがって、従来よりも誤警告を効果的に防止することができる。
【００３２】
［他の実施形態］
（１）上述した障害物検出装置１１では、車両前方の障害物との相対距離及び相対方向を特定し（Ｓ１４０）、その情報に基づいて車両前方の障害物が車道上に存在するか否かを判定するようになっていた（Ｓ１７０）。しかしながら、その障害物が移動体であった場合には、判定した時点では車道外に存在するが、車両が障害物に接近した際には車道上に移動している場合や、判定した時点では車道上に存在するが、車両が障害物に接近した際には車道外に移動している場合も考えられる。したがって、障害物が車道上に存在するか否かを判定する場合には、障害物の予測位置を利用して判定を行うようになっているとよい。
【００３３】
このような判定を行う障害物検出処理２について、図４のフローチャートを用いて説明する。この障害物検出処理２も、障害物検出装置１１への電力供給が開始された際に実行が開始される。
【００３４】
制御部１４は、障害物検出処理の実行を開始すると、センシングを開始する（Ｓ２１０）。このステップの処理は上述した障害物検出処理のＳ１１０と同じであるため説明を省略する。
【００３５】
続いて、制御部１４は、車両前方の障害物を検出する（Ｓ２２０）。このステップの処理は上述した障害物検出処理のＳ２２０と同じであるため説明を省略する。
続いて、制御部１４は、車両前方の障害物を検出できたか否かを判定する（Ｓ２３０）。車両前方の障害物を検出できたと判定した場合には（Ｓ２３０：Ｙｅｓ）、Ｓ２４０へ処理を移行し、車両前方の障害物を検出できなかったと判定した場合には（Ｓ２３０：Ｎｏ）、上述したＳ２２０へ処理を戻す。
【００３６】
車両前方の障害物を検出できたと判定した場合に進むＳ２４０では、その障害物との相対距離及び相対方向を特定する（１回目）。この特定は、例えば、三角法を用い、右カメラ１２からの映像と左カメラ１３からの映像とを比較して障害物までの距離を算出する。
【００３７】
続いて、制御部１４は、ナビゲーション装置２１から現在位置に関する情報を取得する（Ｓ２４３）。
続くＳ２４５では、制御部１４は、Ｓ２４０での処理から１秒後（以下、「処理間隔」と称す。）にもう一度、障害物との相対距離及び相対方向を特定する（２回目）。
【００３８】
続いて、制御部１４は、車両前方の障害物までの相対距離及び相対方向を２回とも特定できたか否かを判定する（Ｓ２５０）。車両前方の障害物まで相対距離及び相対方向を特定できたと判定した場合は（Ｓ２５０：Ｙｅｓ）、Ｓ２６０へ処理を移行し、車両前方の障害物まで相対距離又は相対方向を特定できなかったと判定した場合は（Ｓ２５０：Ｎｏ）、上述したＳ２２０へ処理を戻す。
【００３９】
車両前方の障害物まで相対距離及び相対方向を２回とも特定できたと判定した場合に進むＳ２６０では、ナビゲーション装置２１から現在位置に関する情報及び付近の車道形状情報を取得する。なお、この「車道形状情報」というのは、上述したように、車道の位置及び形状を示す情報であり、例えば、車道の形状を表す形状点の絶対座標のことである。
【００４０】
続いて、制御部１４は、Ｓ２４３で取得した情報（現在位置に関する情報）と、Ｓ２６０で取得した情報（現在位置に関する情報及び付近の車道形状情報）と、Ｓ２４０，Ｓ２４５で特定した情報（車両前方の障害物までの相対距離及び相対方向）とに基づいて、車両が障害物に最も近づくと予測される時点で障害物は車道上に存在することになるか否かを判定する（Ｓ２７０）。ここで、この判定の方法について図５の説明図を用いて具体的に説明する。
【００４１】
図５は、カーブに差し掛かった車両とそのカーブの外側にいる人とが描かれた説明図である。ｔ１時点での、車両の絶対位置をＡ１（ｘ１，ｙ１）とし、人の絶対位置をＰ１（ｘ２，ｙ２）とし、車両の位置を原点とする座標系での人の位置ベクトルをＡ１Ｐ１（ｓ１，ｒ１）とする。また、ｔ２（＝ｔ１＋１秒）時点での、車両の絶対位置をＡ２（ｘ３，ｙ３）とし、人の絶対位置をＰ２（ｘ４，ｙ４）とし、車両の位置を原点とする座標系での人の位置ベクトルをＡ２Ｐ２（ｓ２，ｒ２）とする。上述したＳ２４０ではＡ１Ｐ１（ｓ１，ｒ１）が特定され、上述したＳ２４３ではＡ１（ｘ１，ｙ１）が得られる。したがって、人の絶対位置Ｐ１（ｘ２，ｙ２）は、Ａ１＋Ａ１Ｐ１を計算することによって算出される。また、上述したＳ２４５ではＡ２Ｐ２（ｓ２，ｒ２）が特定され、上述したＳ２６０ではＡ２（ｘ３，ｙ３）が得られる。したがって、人の絶対位置Ｐ２（ｘ４，ｙ４）は、Ａ２＋Ａ２Ｐ２を計算することによって算出される。
【００４２】
また、処理間隔が１秒であるため、車両の速度ベクトル（秒速）は車両の移動ベクトルＡ１Ａ２と同じと考えることができ、人の速度ベクトル（秒速）は人の移動ベクトルＰ１Ｐ２と同じと考えることができる。
【００４３】
また、人の位置Ｐ２に車両が最も近づくまでの時間（ｔ３）は、車両の絶対位置Ａ２と、車両の速度ベクトルＡ１Ａ２と、人の絶対位置Ｐ２とから求めることができる。
したがって、人がこのまま移動し続けたと仮定した場合の、ｔ３の時点における人の位置を推定することができる。そして、その結果、ｔ３の時点に車道に存在しているか否かを判定することができる。
【００４４】
説明を図４のフローチャートに戻し、Ｓ２７０において、車両が障害物に最も近づくと予測される時点で障害物は車道上に存在することになると判定した場合には（Ｓ２７０：Ｙｅｓ）、Ｓ２８０へ処理を移行し、車両が障害物に最も近づくと予測される時点で障害物は車道上に存在することにならないと判定した場合には（Ｓ２７０：Ｎｏ）、上述したＳ２２０へ処理を戻す。
【００４５】
車両が障害物に最も近づくと予測される時点で障害物は車道上に存在することになると判定した場合に進むＳ２８０では、車両前方に障害物がある旨を運転者に警告する。具体的には、「危険です。前方の車道上に障害物が存在します。回避してください。」という音声をスピーカ１５に出力させると共に、右カメラ１２または左カメラ１３の映像、あるいは、それを合成した映像を、ディスプレイ１６に表示させる。このようにして警告を終えると上述したＳ２２０へ処理を戻す。
【００４６】
以上、制御部１４が実行する障害物検出処理２について説明したが、このような障害物検出処理２を障害物検出処理の代わりに実行するようになっていれば、例えば、現時点では車道上に位置しない歩行者や自転車等が、車道を横断するために車道に近づきつつある場合に警告がなされる。また、車両が障害物に接近するにつれて障害物が車道上から車道外に移動しているような場合には、警告がなされない。すなわち、より適切に警告がなされる。
【００４７】
（２）上述した障害物検出装置１１では、Ｓ１７０において、車両前方の障害物が車道上に存在するか否かを判定するようになっていた。また、Ｓ２７０において、車両が障害物に最も近づくと予測される時点で障害物は車道上に存在することになるか否かを判定するようになっていた。そして、ここで言う「車道」というのは、ナビゲーション装置２１から取得した現在位置付近の車道形状情報に基づいて特定される車道であった。
【００４８】
しかし、ナビゲーション装置２１が経路案内中であるならば、Ｓ１６０，Ｓ２６０において、ナビゲーション装置２１から案内経路についての情報を取得し、Ｓ１７０，Ｓ２７０において、案内経路上の車道上に限定して上記判定を行うようになっているとよい。
【００４９】
このようになっていれば、例えば、障害物検出装置１１が搭載された車両が十字路に近づいており、ナビゲーション装置２１においてその十字路で右折する案内経路が設定されている場合、十字路を直進した先に障害物が存在していても警告はなされない。つまり、無意味な警告をさらに防止することができる。
【００５０】
（３）上述した障害物検出装置１１では、右カメラ１２及び左カメラ１３として暗視機能を有したカメラを用いるようになっていたが、サーモグラフィック機能を有した赤外線カメラを用いてもよい。このようなカメラを用いて生物の体温帯（例えば、摂氏３５度〜４０度程度）にある物体のみに注目するようになっていれば、障害物として人や動物のみを有意に判断することができる。この結果、人や小動物等との接触を高い確率で防ぐことができる。
【００５１】
また、このようなカメラにより撮影されて検出された物体のうち、車両と推測される構造物内に位置する物体については判定の対象にしないようになっているとよい。なお、車両の特定は周知の画像処理技術等を用いて行えばよい。
【００５２】
一般的に、前方の車両の中にいる人を検知したとしても、当該障害物検出装置１１が搭載された車両の運転者は、前方の車両の存在自体に気づく可能性が高い。したがって、その車両内にいる人の存在をあえて報知する必要性は低く、このような場合に報知を行わないようになっていれば、本当に必要な警告を運転者が確実に警告として認識しやすくなる。
【００５３】
［特許請求の範囲との対応］
実施形態の説明で用いた用語と特許請求の範囲で用いた用語との対応を示す。右カメラ１２及び左カメラ１３が検出手段に相当し、障害物検出処理におけるＳ１３０の処理が位置算出手段の機能に相当し、障害物検出処理におけるＳ１５０の処理が車道形状情報取得手段の機能に相当し、障害物検出処理におけるＳ１６０の処理が判定手段に相当する。
【００５４】
また、［他の実施形態］の欄において説明した、ナビゲーション装置２１から案内経路についての車道形状情報を取得するように変更したＳ１６０，Ｓ２６０の処理が案内経路情報取得手段の機能に相当する。
【図面の簡単な説明】
【００５５】
【図１】障害物検出装置１１及びそれに接続される装置等の概略構成を示すブロック図である。
【図２】障害物検出処理を説明するためのフローチャートである。
【図３】警告を行うか否かの判定の詳細を説明するための説明図である。
【図４】障害物検出処理２を説明するためのフローチャートである。
【図５】警告を行うか否かの判定の詳細を説明するための説明図である。
【符号の説明】
【００５６】
１１…障害物検出装置、１２…右カメラ、１３…左カメラ、１４…制御部、１５…スピーカ、１６…ディスプレイ、２１…ナビゲーション装置、２２…車速センサ、２３…舵角センサ。
【図１】
2007128232.tif 000003
【図２】
2007128232.tif 000004
【図３】
2007128232.tif 000005
【図４】
2007128232.tif 000006
【図５】
2007128232.tif 000007